(57)【特許請求の範囲】
【請求項１】
上側壁、下側壁及び両側壁を有し、前端部及び後端部に開口部を有する筒状体の筐体を、構成する２つの部品からなり、
一方の前記部品は、前記上側壁と前記両側壁の一部を構成する側壁部とを有し、
他方の前記部品は、前記下側壁と前記両側壁の残りの部分を構成する側壁部とを有し、
前記２つの部品は、前記筐体の前記前端部の開口部と前記後端部の開口部との双方または一方を閉じるパネルを嵌合させる溝を前記前端部の開口部と前記後端部の開口部との双方または一方の内側に設け、
前記一方の部品は、前記筐体を構成した状態において、一方の側壁部から予め定めた距離にある前記上側壁部の内面にネジの螺合部を有し、かつ他方の側壁部から前記予め定めた距離にある前記上側壁部の内面に外部からネジを挿通するネジ挿通部を有し、
前記他方の部品は、前記筐体を構成した状態において、一方の側壁部から予め定めた距離にある前記上側壁部の内面に外部からネジを挿通するネジ挿通部を有し、かつ他方の側壁部から前記予め定めた距離にある前記上側壁部の内面にネジの螺合部を有し、
前記パネルの上縁部及び下縁部に設けた被係合部に係合する係合する係合部を前記上側壁及び下側壁に設け、
前記２つの部品は、同一形状に形成され、かつ前記一方の部品は、前記上側壁と、前記側壁部と、前記溝と、前記螺合部と、前記ネジ挿通部と、前記係合部とを、一体に形成し、前記他方の部品は、前記下側壁と、前記側壁部と、前記溝と、前記螺合部と、前記ネジ挿通部と、前記係合部とを、一体に形成してなる電子機器用筐体。
【請求項２】
請求項１記載の電子機器用筐体において、所定間隔で両側に配置された筐体支持支柱に対して前記筐体を取り付ける取付具を前記筐体に設け、前記筐体と前記取付具とをありとあり溝嵌合により着脱可能としたことを特徴とする電子機器用筐体。
【請求項３】
請求項２記載の電子機器用筐体において、前記筐体と前記取付具との接触部分の一方に凹部を設け、他方に前記凹部に嵌合する凸部を設け、前記凸部と凹部の一方を弾性的に後退可能に設け、その嵌合状態で前記筐体と前記取付具との前記あり溝方向の相対移動を係止することを特徴とする電子機器用筐体。
【請求項４】
請求項１に記載の電子機器用筐体において、所定間隔で両側に配置された筐体支持支柱の間隔に複数個の筐体が対応するように前記筐体幅を形成し、これら筐体を横並びに配列し、隣合う筐体の間を分離可能に結合具を介して結合し、結合した筐体列両端と前記支柱との間を筐体に取り外し可能に取り付けた取付具を介して結合する構成とし、前記筐体と前記結合具とをありとあり溝との嵌合によって結合し、前記ありとあり溝との寸法を共通のものとし、且つありとあり溝の一方を前記筐体側に設け、他方を前記結合具および取付具側に設けたことを特徴とする電子機器用筐体。
【請求項５】
請求項４に記載の電子機器用筐体において、前記筐体と前記取付具との接触部分の一方に凹部を設け、他方に前記凹部に嵌合する凸部を設け、前記筐体と前記結合具との接触部分の一方に凹部を設け、他方に前記凹部に嵌合する凸部を設け、前記凹部と凸部とを共通のものとし、且つ前記凸部と凹部の一方を弾性的に後退可能に設け、その嵌合状態で前記筐体と前記取付具との前記ありとあり溝方向の相対移動を係止することを特徴とする電子機器用筐体。
【発明の詳細な説明】
【０００１】
【発明の属する技術分野】
本発明は、例えばチューナ装置やアンプ装置のような放送用電子機器等の筐体に関する。
【０００２】
【従来の技術】
従来のこの種の筐体は、底に相当する部分がシャーシとされ、これに両側面および上面カバーと前面パネルおよび後面パネルを設けた構成が一般的である。近年コスト低減や保守点検の容易さが一般的に求められていることから、部品点数の削減や共用部品化が各分野で進められている。電子機器用の筐体においても例外ではないが、組み立てにおいて多数のねじが使用されているのが現状である。すなわち、シャーシに対して、上面と両側面が一体のカバー、前面パネル、後面パネルをそれぞれねじ止めして組立てるのが一般的になっている。
【０００３】
また別に、最近の放送設備のアンプ、チューナ等を設置された筐体が、ラックに装着されて使用されることが多い。この種のラックには、例えば、世界的に利用度の高いラックの規格（米国電子工業会）ＥＩＡ−３１０がある。これには両側に立てられた２本の支柱に、前後方向に貫通した取付孔が、所定のピッチで、あるいは上下に離れた２個一組の取付け孔が所定のピッチで、上下方向に多数設けられており、その取付孔と筐体に設けてある取り付け部を使用して筐体が、前面パネルを前側に位置するように所望の上下配列で幾つも取り付けられる。これにより、例えば多数の電子機器の操作がしやすくなり、外観も良くなる。このようにラックに筐体を取り付けるには筐体側に取り付け部が必要であり、従来の取り付け部は、筐体の側面に取付具をねじ止めすることにより設けられている。
【０００４】
【発明が解決しようとする課題】
安易に多数のねじを使用することは、部品点数の増大や組立て工数の増大につながり、部品管理や製品コスト低減に不利である。
本発明は、電子機器用筐体の組立てにおいて、極力ねじを使用しないですむ構造とし、さらにラック取付具を筐体に取り付ける取付においてもねじを使用しないで良い構造とすることを課題とする。
【０００５】
【課題を解決するための手段】
本発明の手段は、上側壁、下側壁及び両側壁を有し、前端部及び後端部に開口部を有する筒状体の筐体を、構成する２つの部品からなる。一方の前記部品は、前記上側壁と前記両側壁の一部を構成する側壁部とを有している。他方の前記部品は、前記下側壁と前記両側壁の残りの部分を構成する側壁部とを有している。前記２つの部品は、前記筐体の前記前端部の開口部と前記後端部の開口部との双方または一方を閉じるパネルを嵌合させる溝を前記前端部の開口部と前記後端部の開口部との双方または一方の内側に設けている。  前記一方の部品は、前記筐体を構成した状態において、一方の側壁部から予め定めた距離にある前記上側壁部の内面にネジの螺合部を有し、かつ他方の側壁部から前記予め定めた距離にある前記上側壁部の内面に外部からネジを挿通するネジ挿通部を有している。前記他方の部品は、前記筐体を構成した状態において、一方の側壁部から予め定めた距離にある前記上側壁部の内面に外部からネジを挿通するネジ挿通部を有し、かつ他方の側壁部から前記予め定めた距離にある前記上側壁部の内面にネジの螺合部を有している。前記パネルの上縁部及び下縁部に設けた被係合部に係合する係合する係合部を前記上側壁及び下側壁に設けている。前記２つの部品は、同一形状に形成され、かつ前記一方の部品は、前記上側壁と、前記側壁部と、前記溝と、前記螺合部と、前記ネジ挿通部と、前記係合部とを、一体に形成し、前記他方の部品は、前記下側壁と、前記側壁部と、前記溝と、前記螺合部と、前記ネジ挿通部と、前記係合部とを、一体に形成している。
【０００９】
前記手段において、所定間隔で両側に配置された筐体支持支柱に対して前記筐体を取り付ける取付具を前記筐体に設け、前記筐体と前記取付具とをありとあり溝嵌合により着脱可能とした構成とするのがよい（請求項２）。この構成では、電子機器用筐体は、幾つかをキャビネットラックに装着して使用することが多いが、その際に取付具を取り付けた状態でラックに設けてある２本の支柱間に配置され、取付具を介して支柱に取り付けられて装着状態となる。筐体から取付具を取り外すと、筐体を単独で使用する際に取付具が邪魔にならない。
【００１０】
前記手段において、前記筐体と前記取付具との接触部分の一方に凹部を設け、他方に前記凹部に嵌合する凸部を設け、前記凸部と凹部の一方を弾性的に後退可能に設け、その嵌合状態で前記筐体と前記取付具との前記あり溝方向の相対移動を係止する構成とするのがよい（請求項３）。この構成では、筐体と取付具との固定を、ねじ等の別部材による固定手段を用いないで、双方の部材に設けた凹部と凸部とで固定できる。この固定状態は、凹部又は凸部を後退させることにより解除される。
【００１１】
前記手段において、所定間隔で両側に配置された筐体支持支柱の間隔に複数個の筐体が対応するように前記筐体幅を形成し、これら筐体を横並びに配列し、隣合う筐体の間を分離可能に結合具を介して結合し、結合した筐体列両端と前記支柱との間を筐体に取り外し可能に取り付けた取付具を介して結合する構成とし、前記筐体と前記結合具とをありとあり溝との嵌合によって結合し、前記筐体と前記取付具とをありとあり溝との嵌合によって結合し、前記ありとあり溝との寸法を共通のものとし、且つありとあり溝の一方を前記筐体側に設け、他方を前記結合具および取付具側に設けた構成とするのがよい（請求項４）。
【００１２】
この構成では、ありとあり溝嵌合におけるありとあり溝の一方が筐体側に設けられ、他方が取付具と結合具とに設けられているから、筐体に取付具を取り付けるときと、筐体を結合するときとのいずれにも対応できる。つまり筐体は両側のいずれの側にも取付具を取り付けることができ、またいずれの側においても他の筐体と結合具で結合できるものである。
【００１３】
前記手段において、前記筐体と前記取付具との接触部分の一方に凹部を設け、他方に前記凹部に嵌合する凸部を設け、前記筐体と前記結合具との接触部分の一方に凹部を設け、他方に前記凹部に嵌合する凸部を設け、前記凹部と凸部を共通のものとし、且つ前記凸部と凹部の一方を弾性的に後退可能に設け、その嵌合状態で前記筐体と前記取付具との前記あり溝方向の相対移動を係止する構成とするのがよい（請求項５）。この構成では、筐体と取付具との固定及び筐体と結合具との固定を、ねじ等の別部材による固定手段を用いないで、双方の部材に設けた凹部と凸部とで固定できる。この固定状態は、凹部又は凸部を後退させることにより解除される。
【００１４】
【発明の実施の形態】
本発明の第1の実施の形態を、図１〜図５及び図８を用いて説明する。この電子部品用筐体１は、硬質合成樹脂製であり、図３（ｂ）に示すように、主要構成部品がシャーシ２ａ、カバー２ｂ、前面パネル３、後面パネル４であり、これらの外面で６面が構成された多くの場合扁平であり、略直方体状のものである。そして、シャーシ２aとカバー２bとは同じ形状である。つまり双方は共用部品である。また、この筐体１には、ラックに装着される場合に使用されるラック取付具５（図4参照）が取り付けられる。
【００１５】
シャーシ２ａ、カバー２ｂは、同一形状の共用部品であるから、特に区別の必要がない場合は部品2と記載することもある。この部品2は、図1〜図３に示すように、筐体１の底面もしくは上面となる四角形の板状の壁部１０とその両端の対向する２辺から互いに平行に夫々伸延形成された側壁部１１，１２を有する。この両側の側壁部１１，１２の外面にはあり溝１３の片側を形成する凸条１４が側壁部１１，１２の前後方向全長に亘って夫々突設されている。また、一方の側壁部１１の側に偏った内側に、ねじ結合用の２個の長い柱状突起１５が突設され、他方の側壁部１２には２本の短い柱状突起１６が突設されている。長い柱状突起１５には先端から所定深さ位置までねじ穴又はタッピンねじがねじ込まれる穴１７が穿設されており、他方の短い柱状突起１６には中心部を通って筐体１の外面側から貫通したねじ挿通孔１８が穿設されている。
【００１６】
このような部品２は、図２に示すものと、図２の状態から同図に示す中心線１９を中心に１８０度回転させたもの、つまり中心線１９の周りに反転させたものとを重ね合わせると、図１、図３に示すようにシャーシ２aと、カバー２bとで、筐体１の上側壁２０、下側壁２１、左右両側壁２２、２３が形成される。前記柱状の突起１５と１６とは、先端が丁度一致するように設けてあり、筐体１外面から４本のねじ２５で双方を結合固定することができる。この固定状態において、部品２の両側の側壁部１１，１２は夫々に重ね合わせた相手側のものと先端縁で当接し筐体１としての左右の側壁２３，２４を形成している。なお、図２、図３に見られる２６は切欠状凹所、２７は組立て時に前記凹所２６に嵌入する凸部であり、これにより側壁部１１，１２が厚さ方向の位置ずれを規制され、上下で確実に一致する。２８は補強リブである。
【００１７】
また、部品２の側壁部１１，１２に突設した凸条１４は２個の部品２の前記結合状態において、図１に見られるように、あり溝１３を構成している。部品２の両側壁部１１，１２には、図２に示すように、筐体１としての前側端に接近した位置の外面に、組立て時に連続する溝状凹部２９を設けてある。前記凸条１４および溝状凹部２９は後述する取付具５を取付けるためのもので、ラックに取付けることがない筐体の場合には省略しても良い。
【００１８】
前面パネル３および後面パネル４は、電子機器の表示部、操作部、接続用端子等（図示省略）が設けられるものであり、部品２を２個前記のように重ねて組立てた状態の筒状体において、前後方向の両端部内周面に形成された一連の溝３０によって取り付けられる。部品２に形成されている溝３０は、溝幅がパネル３、４の厚さに対応しており、組立てにおいてはパネルの周縁部が嵌めこまれる。図９（ａ）、図３（ｂ）に示すように、パネル３，４の上縁部と下縁部には被係合部３１が設けられ、これに対し部品２の壁１０の前記溝３０よりも内側位置からパネル内側の面に沿うように小突起を突出させて先端部が前記被係合部３１に係合する爪状の係合部３２を設けてある。被係合部３１は、爪状の係合部３２が係合するパネルを貫通した孔又は貫通しない凹所の形で設ける。また、係合部３２は係脱に必要な弾性変位が可能な突出形状とし、その係合部３２を設けてある小突起の先端側はパネル組付けの際に溝３０に差し込みやすいように斜面３２ａに形成しておく。
【００１９】
取付具５は、図４に示すように、部品２の前後方向長さに対応する細長い板状本体部５０の一方の面に前記あり溝１３に挿入可能なあり３３を備え、前方端にあり３３の側と反対側に直角に突出し、耳板状に形成された、ラックの支柱に結合される取付部３４を設けてある。取付部３４には、支柱３９に所定ピッチで設けられている前後方向の雌ねじ付きボルト孔４１に対してボルト４２で結合するために、２個のボルト孔を長穴３５として所定のピッチで設けてある。また、前記本体部５０およびあり３３の前端部には厚さ方向に貫通したコ字状の切除部３６を設けて舌片状部３７を形成し、その先端にあり３３の突出面よりも突出して（図４（ｃ）参照）前記溝状凹部２９に係合する凸部３８を突設してある。この凸部３８は舌片状部が適切な厚さに決められていてその弾性的な撓みにより後退可能である。この取付具５は、図４（ｃ）に見られるように、上下対称形状であり、両側に２個使用されるものが同一形状で、つまり共用部品である。
【００２０】
このような構成の筐体１は、電子機器構成部品を設置されて電子機器となる。その際、２個の部品２の一方をシャーシ２aとし他方をカバー２bとし、例えば、シャーシ２aおよび前後面のパネル３，４に部品を組付け、パネル３，４の下縁をシャーシ２ａの前後の溝３０，３０に保持させ、次にパネル３，４の上縁をカバー２ｂの溝３０，３０に差し込んで保持させ、カバー２bとシャーシ２ａをねじ２５で結合固定することにより、電子機器が出来上がる。
【００２１】
このような電子機器をラックに取り付けて使用するときは、取付具５を筐体１の左右側壁２２，２３に設けてあるあり溝１３を使用して両側に取り付ける。その取付は、取付具５のあり３３を筐体１の前方から後方へ向かうようにあり溝１３に挿入する。その挿入の終端位置で凸部３８が溝状凹部２９に係合し、抜け出さない固定された状態となる。
【００２２】
取付具５を取り付けられた筐体１は、図８に示すように、ラックに取り付けられる。すなわち、ラックに設けられている支柱３９、４０の前面に取付部５の背面を当接させ、長孔３５とボルト孔４１を使用してボルト４２で結合する。
【００２３】
このように筐体１は、ねじ部品としては共通のねじ２５を４本使用して組み立てられるので、ねじ止めのためのねじ込み作業が従来のものよりも極めて少なく、組立て作業が大幅に簡略化される。すなわち、部品２の側壁部１１、１２が壁部１０と一体に形成されているので、つまり筐体１の左右側壁２２、２３がねじ止めによって取り付けられるものではないから、そのねじ止め作業がなくなり、前後面のパネル３、４が溝に保持されるので、パネルのねじ止め作業もなくなる。また、キャビネットラックに対する取付具５も、あり３３とあり溝１３の嵌合により、その固定が、凹部２９と凸部３８との嵌合によるものであるから、従来のねじ込み作業がなくなる。
【００２４】
第２の実施の形態を図６、図７を用いて説明する。この実施の形態の筐体１ａは、第１の実施の形態の筐体１に比べて幅が半分のものであり、この筐体１ａを２個並べて結合して第１の実施の形態に置けるラックの前記支柱３９、４０に取り付けるための構成である。筐体１ａとしては幅寸法が小さいだけであるから、詳細な説明は省略する。２個の筐体１aと１aを結合するために、前述した筐体側面のあり溝１３を利用する。このために図６に示す結合具４３を使用する。結合具４３は、前述したものと同じあり３３を２個背面側で結合した形状に一体に形成したものである。すなわち、長さは筐体１ａの前後方向長さに対応する長さであり、両側に夫々あり３３を有し、前端部に両側に突出する凸部４４、４５を設けてある。一方の凸部４４は筐体の高さ方向中間位置に形成した舌片状部４６の先端に片側へ突出するように設け、他方の凸部４５は前記舌片状部４６の上側と下側に形成されている舌片状部４７に前記と反対の片側へ突出するように設けてある。舌片状部４６、４７はいずれも厚さ方向に貫通した切除部４８を設けることによって形成されており、厚さを適当に決められ、突出している凸部４４、４５が弾性的に後退可能である。
【００２５】
この結合具４３で筐体１ａ、１ａ間を結合するときは、前記取付具５の場合と殆ど同様に並べた筐体のあり溝１３にあり３３を前方から挿入するだけでよい。図７は筐体１ａ、１ａを結合具４３で結合した状態を示し、あり３３とあり溝１３が夫々に嵌合し、結合具４３の凸部４４が図の左方へ突出し、凸部４５が図の右方へ突出して、夫々に対応する溝状凹部２９に係合している。あり３３とあり溝１３との嵌合により筐体１ａ、１ａ間が強力に結合されているから、この結合された二つの筐体は、外側端に第１の実施の形態で示した取付具５を用いて、前記ラックの支柱３９、４０に取り付けることができる。そのラックに装着した状態を図８に示す。
【００２６】
この結合具４３で筐体間を結合する場合も、前記取付具５と同様にねじを使用しないから、ねじ込み作業がなくなる。
【００２７】
第１の実施の形態において、部品２には両側に筐体１の側壁２２、又は２３の半分の高さに相当する高さの側壁部１１、１２を有する構成のものを示したが、場合によっては筐体１の側壁の全高に相当する側壁部を片側に設けた構成であってもよい。つまり、筐体１の左右の側壁の一方を下側壁２１と一体に、他方を上側壁２０と一体に設けた構成となるのである。
また、第２の実施の形態では、筐体１ａ、１ａが同じ幅であるものを示したが、異なる幅であってもよく、また２個の筐体に限らずそれ以上であっても良い。要は、横並びの複数の筐体の全幅が、ラックの支柱間隔に対応する構成であればよい。
【００２８】
また、第１、第２の実施の形態では支柱のボルト孔４１の１ピッチに対応する高さの筐体を示したが、図８に３ピッチに対応する高さの筐体１ｃとして示すように、２ピッチ以上の高さに対応する高さとしても良い。なお、図８には筐体間に隙間のある装着状態を示したが、このボルト孔４１のピッチに対応する筐体の高さ寸法を適切に決めることにより、筐体を上下に隙間なく設置することも可能である。
また、第１、第２の実施の形態で示した、ありとあり溝は逆に設けてもよい。すなわち、ありを設けてある部品にあり溝を設け、あり溝を設けてある部品にありを設けるのである。また、ありとあり溝嵌合の状態を固定する凹部と凸部についても逆であってもよい。また、実施の形態では凸部を弾性的に後退可能な構成としたが、これも逆であってもよい。つまり、突出した凸部３８を固定し、凹部２９をその周辺の全部又は一部が弾性的に後退するように設けてもよい。要は、あり溝嵌合の操作の終端において凸部又は凹部が弾性的に後退可能に前進した位置にあればよい。
【００２９】
また、第１の実施の形態で説明したパネル３、４を部品２に設置したときの係合構造は、図９（ａ）に示したものの他に、図９（ｂ）〜（ｄ）に示すような構成としてもよい。すなわち、（ｂ）のものは、パネル３の外表面がわに係合部３２を設け外側からパネル３に係合する構成であり、（ｃ）のものは、外側から係合する構成であり且つ係合部３２を設ける小突起を部品２の前端に沿った突縁に形成して部分的に突出した形には見えないように構成したものであり、（ｄ）のものは、溝３０の底に拡大した空間部３２ｂを設けて係合部３２を形成し、パネル３の縁に被係合部３１を突設して係合させ、これらを係合させる係合構造が外部から見えない構成である。
【００３０】
【発明の効果】
請求項１に記載の発明は、シャーシとカバーとを共用部品とすることによって主要構成部品の種類数を少なくとも一種類削減できる効果を奏し、側壁部を別部材で形成する場合に比べて部品数を低減でき、パネルを取り付けるためのねじ等の固定手段が不要となり、下側壁が下側に、上側壁が上側にそれぞれ膨らむような作用力に対抗し、膨らみが生じることを防止する効果を奏する。
請求項２に記載の発明は、筐体をラックに装着して使用する際の取付具を、ねじを用いないで取り付けることができ、筐体から取付具を取り外すと、筐体を単独で使用する際に取付具が邪魔にならない効果を奏する。
請求項３に記載の発明は、筐体と取付具との固定をねじ等の別部材による固定手段を用いないで容易に固定できる効果を奏する。
請求項４に記載の発明は、筐体が、筐体に取付具を取り付けるときと、筐体と筐体を結合するときとのいずれにも対応でき、筐体両側のいずれの側にも取付具を取り付けることができ、またいずれの側においても他の筐体と結合具で結合できる効果を奏する。
請求項５に記載の発明は、部品数を少なくでき、筐体と取付具との固定及び筐体と結合具との固定操作が容易である効果を奏する。
【図面の簡単な説明】
【図１】本発明の第１の実施の形態を示すパネルを省略した正面図である。
【図２】図１の下側部品の部分省略平面図である。
【図３】同実施の形態を示し、（ａ）は側面図、（ｂ）は図２の部品に他の構成部品を組付けた状態のＡ−Ａ断面図である。
【図４】同実施の形態の取付具を示し（ａ）は平面図、（ｂ）は側面図、（ｃ）は正面図、（ｄ）は（ｂ）のＢ−B断面図である。
【図５】同実施の形態の取付具を取り付けた状態を示し、（ａ）は部分省略平面図、（ｂ）は部分省略正面図である。
【図６】本発明の第２の実施の形態で使用する連結具を示し、（ａ）は側面図、（ｂ）は平面図、（ｃ）は背面図、（ｄ）は（ａ）のＤ−Ｄ断面図、（ｅ）は（ａ）のＥ−E断面図、（ｆ）は（ａ）のＣ−Ｃ断面図である。
【図７】同第２の実施の形態を示す部分省略正面図である。
【図８】本発明の各種実施の形態をラックの支柱に装着した状態を示す概略正面図である。
【図９】（ａ）は本発明の第１の実施の形態におけるパネルと部品２との係合構造の断面拡大図、（ｂ）〜（ｄ）は夫々別の構成を示す同様な断面の拡大図である。
【符号の説明】
１      筐体
２      部品
２ａ    シャーシ
２ｂ    カバー
３      前面パネル
４      後面パネル
５      取付具
１０    壁部
１１、１２    側壁部
１３    あり溝
１４    凸条
１５、１６    突起
１７    穴
１８    ねじ挿通孔
１９    中心線
２０    上側壁
２１    下側壁
２２    左側壁
２３    右側壁
２５    ねじ
２６    凹所
２７    凸部
２８    補強リブ
２９    凹部
３０    溝
３１    被係合部
３２    本体部
３３    あり
３４    取付部
３５    長孔
３６    切欠部
３７    舌片状部
３８    凸部
３９、４０    支柱
４１    ボルト孔
４２    ボルト
４３    結合具
４４、４５    凸部
４６、４７    舌片状部
４８    切除部
【図１】
0004025482.tif 000002
【図２】
0004025482.tif 000003
【図３】
0004025482.tif 000004
【図４】
0004025482.tif 000005
【図５】
0004025482.tif 000006
【図６】
0004025482.tif 000007
【図７】
0004025482.tif 000008
【図８】
0004025482.tif 000009
【図９】
0004025482.tif 000010